(57)【要約】アイドル状態におけるユーザ装置のモビリティレベルが動的に変化する場合でも、適切なモビリティレベルを選択し得るモビリティレベル制御装置及びモビリティレベル制御方法を提供する。ME(300)は、ユーザ装置の移動状態に応じて、アイドル状態におけるユーザ装置のモビリティレベル（IMM）を制御する。ME(300)は、ユーザ装置の移動状態を取得する移動状態取得部(320)と、移動状態取得部(320)が取得したユーザ装置の移動状態に基づいて、複数のモビリティレベルの中から何れかのモビリティレベルを選択するモビリティレベル選択部(330)と、モビリティレベル選択部(330)によって選択されたモビリティレベルをユーザ装置に通知するモビリティレベル通知部(340)とを備える。
2017195860.tif 000002
【特許請求の範囲】
【請求項１】
ユーザ装置の移動状態に応じて、アイドル状態における前記ユーザ装置のモビリティレベルを制御するモビリティレベル制御装置であって、
前記ユーザ装置の移動状態を取得する移動状態取得部と、
前記移動状態取得部が取得した前記ユーザ装置の移動状態に基づいて、複数の前記モビリティレベルの中から何れかの前記モビリティレベルを選択するモビリティレベル選択部と、
前記モビリティレベル選択部によって選択された前記モビリティレベルを前記ユーザ装置に通知するモビリティレベル通知部と
を備えるモビリティレベル制御装置。
【請求項２】
前記移動状態取得部は、前記ユーザ装置の移動の有無、及び前記ユーザ装置が移動したタイミングを取得し、
前記モビリティレベル選択部は、前記移動の有無と前記タイミングとに基づいて、前記モビリティレベルを選択する請求項１に記載のモビリティレベル制御装置。
【請求項３】
前記移動状態取得部は、前記ユーザ装置が所定の単位エリアから他の単位エリアに移動したか否かを取得し、
前記モビリティレベル選択部は、前記ユーザ装置が前記所定の単位エリアから他の単位エリアに移動したことに基づいて、前記モビリティレベルを選択する請求項１に記載のモビリティレベル制御装置。
【請求項４】
前記ユーザ装置の属性または状態の少なくとも何れかを示すユーザ情報を取得す情報取得部を備え、
前記モビリティレベル選択部は、前記ユーザ装置の移動状態及び前記情報取得部によって取得された前記ユーザ情報に基づいて、前記モビリティレベルを選択する請求項１に記載のモビリティレベル制御装置。
【請求項５】
ユーザ装置の移動状態に応じて、アイドル状態における前記ユーザ装置のモビリティレベルを制御する制御装置におけるモビリティレベル制御方法であって、
前記制御装置が、前記ユーザ装置の移動状態に基づいて、複数の前記モビリティレベルの中から何れかの前記モビリティレベルを選択するステップと、
前記制御装置が、選択した前記モビリティレベルを前記ユーザ装置に通知するステップと
を含むモビリティレベル制御方法。
【発明の詳細な説明】
【技術分野】
【０００１】
本発明は、アイドル状態におけるユーザ装置のモビリティレベルを制御するモビリティレベル制御装置及びモビリティレベル制御方法に関する。
【背景技術】
【０００２】
3rd Generation Partnership Project（3GPP）は、Long Term Evolution（LTE）の更なる高速化を目的としてLTE-Advanced（以下、LTE-Advancedを含めてLTEという）を仕様化している。また、3GPPでは、さらに、5G（5th generation mobile communication system）などと呼ばれるLTEの後継システムの仕様が検討されている。【０００３】
このような後継システムでは、Internet of Things（IoT）向けのユーザ装置、及び非IoT向けのユーザ装置など、これまで以上に多くの種類のユーザ装置が用いられることが想定されている。そこで、アイドル状態におけるユーザ装置のモビリティレベルを複数定義することが検討されている（例えば、非特許文献１）。これにより、ユーザ装置の管理負荷の軽減と、サービス品質の向上とを両立し得る。【０００４】
具体的には、ユーザ装置の種別や特徴に応じて、移動頻度（または移動の程度、以下同）が低いモビリティレベルから、移動頻度が高いモビリティレベルまでの複数のモビリティレベルの中から、当該ユーザ装置を何れかのモビリティレベルに設定することが検討されている。
【先行技術文献】
【非特許文献】
【０００５】
【非特許文献１】Solution: Mobility Options, SA WG2 Meeting #114, S2-161625、3GPP、2016年4月
【発明の概要】
【０００６】
しかしながら、上述したユーザ装置に対するモビリティレベルの設定には、次のような問題がある。すなわち、各ユーザ装置に対して、何れかのモビリティレベルが固定的に設定されるため、ユーザ装置の移動状態、つまり、モビリティレベルが変化した場合には、既に当該ユーザ装置に対して設定されているモビリティレベルと合致しない場合が発生し得る。
【０００７】
例えば、温度センサと接続されたユーザ装置が屋内に設置される場合、一般的には移動頻度が低いモビリティレベルが設定される。その後、当該ユーザ装置を他の用途で使用するため、車両内などに設置した場合、当該ユーザ装置は、頻繁に移動する可能性がある。従って、移動頻度が低いモビリティレベルでは、当該ユーザ装置に対して要求されるサービス品質を確保できない恐れがある。
【０００８】
そこで、本発明は、このような状況に鑑みてなされたものであり、アイドル状態におけるユーザ装置のモビリティレベルが動的に変化する場合でも、適切なモビリティレベルを選択し得るモビリティレベル制御装置及びモビリティレベル制御方法の提供を目的とする。
【０００９】
本発明の一態様は、ユーザ装置（UE100）の移動状態に応じて、アイドル状態における前記ユーザ装置のモビリティレベル（IMM）を制御するモビリティレベル制御装置（ME300）であって、前記ユーザ装置の移動状態を取得する移動状態取得部（移動状態取得部320）と、前記移動状態取得部が取得した前記ユーザ装置の移動状態に基づいて、複数の前記モビリティレベルの中から何れかの前記モビリティレベルを選択するモビリティレベル選択部（モビリティレベル選択部330）と、前記モビリティレベル選択部によって選択された前記モビリティレベルを前記ユーザ装置に通知するモビリティレベル通知部（モビリティレベル通知部340）とを備える。
【００１０】
本発明の一態様は、ユーザ装置の移動状態に応じて、アイドル状態における前記ユーザ装置のモビリティレベルを制御する制御装置におけるモビリティレベル制御方法であって、前記制御装置が、前記ユーザ装置の移動状態に基づいて、複数の前記モビリティレベルの中から何れかの前記モビリティレベルを選択するステップと、前記制御装置が、選択した前記モビリティレベルを前記ユーザ装置に通知するステップとを含む。
【図面の簡単な説明】
【００１１】
【図１】図１は、無線通信システム10の全体概略構成図である。
【図２】図２は、ME300の機能ブロック構成図である。
【図３】図３は、UE100に設定されるモビリティレベルの変更（レベル1からレベル3）に伴う通信シーケンスを示す図である。
【図４】図４は、UE100に設定されるモビリティレベルの変更（レベル3からレベル1）に伴う通信シーケンスを示す図である。
【図５】図５は、UE100に対するページングに伴う通信シーケンスを示す図である。
【図６】図６は、ME300によるモビリティレベルの選択フローを示す図である。
【図７】図７は、ME300のハードウェア構成の一例を示す図である。
【発明を実施するための形態】
【００１２】
以下、実施形態を図面に基づいて説明する。なお、同一の機能や構成には、同一または類似の符号を付して、その説明を適宜省略する。
【００１３】
（１）無線通信システムの全体概略構成
図１は、本実施形態に係る無線通信システム10の全体概略構成図である。無線通信システム10は、Long Term Evolution（LTE）の後継システムである「5G」に従った無線通信システムである。なお、無線通信システム10は、FRA（Future Radio Access）或いは次世代システム（NextGen）などと呼ばれてもよい。
【００１４】
図１に示すように、無線通信システム10は、無線アクセスネットワーク20、コアネットワーク制御プレーン機能30（以下、CP機能30）、コアネットワークユーザプレーン機能40（以下、UP機能40）及びユーザ装置100（以下、UE100）を含む。また、無線通信システム10、具体的には、UP機能40には、外部ネットワーク50が接続される。
【００１５】
無線アクセスネットワーク20は、例えば、3rd Generation Partnership Project（3GPP）において規定される無線アクセス技術（RAT）に従った無線ネットワークであり、無線基地局200（以下、BS200）を含む。
【００１６】
無線アクセスネットワーク20には、CP機能30及びUP機能40が接続される。CP機能30及びUP機能40は、無線通信システム10のコアネットワークにおける制御プレーン機能及びユーザプレーン機能を提供する。つまり、無線通信システム10のコアネットワークでは、UE100及びBS200などの制御を実現する制御プレーンの機能と、ユーザデータの送受信などを実現するユーザプレーンの機能とが明確に分離された形態（CUPS: C/U plane separation）が採用されている。CP機能30及びUP機能40は、それぞれ、Serving Gateway（SGW）、PDN Gateway（PGW）及びTraffic Detection Function（TDF）などによって構成される。
【００１７】
外部ネットワーク50は、UP機能40に接続される。代表的な外部ネットワーク50の例は、インターネットであるが、外部ネットワーク50の種類は、特に限定されず、無線通信システム10のオペレータなどによって提供されるプライベートのネットワークでも構わない。
【００１８】
また、外部ネットワーク50には、データレポジトリ55が設けられる。データレポジトリ55は、UE100から送信されたデータ（後述するIMMのレベルなど）を保管する。
【００１９】
UE100及びBS200は、3GPPにおいて規定される無線通信技術に従った無線通信を実行する。本実施形態では、UE100の種別は、特に限定されない。UE100は、Internet of Things（IoT）向け、例えば、MTC（Machine Type Communication）向けのユーザ装置であってもよいし、従来のスマートフォンのような非IoT向けのユーザ装置であってもよい。
【００２０】
UE100は、上述したような種別及び用途などに応じて、移動頻度または移動の程度が変化し得る。移動頻度とは、所定時間内にUE100が移動する回数であり、移動する距離とは関係がない。一方、移動の程度とは、典型的には、所定時間内に移動した距離である。但し、必ずしも距離でなく、後述するトラッキングエリア（TA）など、地理的な移動の程度を判定することが可能な単位を用いてもよい。以下、このようなUE100の移動頻度または移動の程度の少なくとも何れかを「移動状態」という。
【００２１】
UE100の移動状態は、上述したような種別及び用途などに応じて、全く移動しない状態から、高速で移動する状態まで変化する可能性がある。本実施形態では、UE100の移動状態に応じた複数のモビリティレベルが定義されており、動的に変化するUE100の移動状態に応じて、複数のモビリティレベルから、何れかのモビリティレベルが選択される。
【００２２】
移動制御エンティティ300（以下、ME300）は、CP機能30を構成する装置の一つである。本実施形態では、ME300は、モビリティレベル制御装置を構成する。
【００２３】
ME300は、UE100の移動状態に応じて、アイドル状態におけるUE100のモビリティレベルを制御する。
【００２４】
アイドル状態とは、UE100がCP機能30及びUP機能40によって構成されるコアネットワークと接続されているが、アクティブなユーザプレーンの経路（ユーザデータパス、ユーザデータ用ベアラまたはコネクションなどと呼ばれてもよい）などとを有していない状態をいう。アイドル状態のUE100は、上述したような種別及び用途などに応じて移動状態が変化し得る。
【００２５】
ME300は、UE100のアイドル状態におけるモビリティレベルを制御することによって、UE100のモビリティレベルを適宜更新することができる。例えば、ME300は、UE100がパケットデータ用のコネクション（PDN Connection）を確立する際におけるUE100のモビリティレベルを制御することができる。なお、以下、UE100のアイドル状態におけるモビリティレベルを、適宜Idle Mode Mobility（IMM）という。
【００２６】
ME300は、UE100の移動状態と対応する最適なモビリティレベルを動的に選択する。また、ME300は、UE100の移動状態を定期的に取得し、UE100の最新の移動状態に基づいて、UE100のモビリティレベルを更新することができる。このようなME300の提供機能を考慮し、ME300は、On Demand Management Entityなどと呼ばれてもよい。
【００２７】
（２）無線通信システムの機能ブロック構成
次に、無線通信システム10の機能ブロック構成について説明する。具体的には、ME300の機能ブロック構成について説明する。
【００２８】
図２は、ME300の機能ブロック構成図である。図２に示すように、ME300は、情報取得部310、移動状態取得部320、モビリティレベル選択部330、モビリティレベル通知部340及びページング処理部350を備える。
【００２９】
情報取得部310は、無線アクセスネットワーク20に接続されている、具体的には、アタッチされているUE100に関する情報（ユーザ情報）を取得する。
【００３０】
ユーザ情報とは、UE100の属性または状態の少なくとも何れかを示すものである。属性とは、UE100の特徴または性質を示すものであり、UE100が予め備えるもの、或いはUE100に対して予め要求されるものである。例えば、UE100の種別、要求されるサービス品質（QoS）及び遅延時間（Latency）などが挙げられる。
【００３１】
状態とは、UE100の様子または境遇などを示すものであり、UE100の使用態様などによって変化し得る。例えば、UE100が送受信するデータのトラフィックパターンなどが挙げられる。また、UE100が接続（アタッチ）する無線アクセスネットワーク20、及びUP機能40によって提供されるコアネットワークの種別は、UE100の状態に含まれる。
【００３２】
移動状態取得部320は、UE100の移動状態を取得する。移動状態とは、上述したように、UE100の移動頻度または移動の程度である。
【００３３】
具体的には、移動状態取得部320は、UE100の移動（Location change）の有無、及びUE100が移動したタイミングを取得することができる。より具体的には、移動状態取得部320は、UE100から報告されるLocation change、及び当該Location changeが発生した時刻情報を取得する。なお、Location changeが発生したタイミングは、必ずしも時刻情報でなくてもよく、所定の時点を基準とした経過時間などによって示されてもよい。
【００３４】
また、移動状態取得部320は、UE100が所定の単位エリアから他の単位エリアに移動したか否かを取得することもできる。具体的には、移動状態取得部320は、UE100が位置するトラッキングエリア（TA）から他のトラッキングエリアに移動したか否かを取得する。
【００３５】
なお、トラッキングエリアとは、１つまたは複数のセルから構成され、コアネットワーク上で管理されるUE100の位置を示す単位エリアである。
【００３６】
モビリティレベル選択部330は、UE100に対応付けられるモビリティレベルとして、数のモビリティレベルの中から何れかのモビリティレベルを選択する。具体的には、モビリティレベル選択部330は、移動状態取得部320が取得したUE100の移動状態に基づいて、複数のモビリティレベルの中から何れかのモビリティレベルを選択する。
【００３７】
本実施形態では、表１に示すように、UE100のアイドル状態におけるモビリティレベル（IMM）として、レベル0〜レベル3の４つのレベルが定義される。
【００３８】
【表１】
2017195860.tif 000003
【００３９】
なお、レベル0は、アイドル状態（Idle Mode）が存在しないため、アイドル状態におけるモビリティレベルとしては、レベル1〜レベル3が対象である。レベル1（No mobility）は、UE100がアイドル状態に遷移すると、コアネットワークからはUE100をトラッキングすることができず、UE100に到達できない。但し、UE100は、コアネットワークからのページングを可能とするため、PDN Connectionを一定時間に亘って維持することができる。これにより、アイドル状態のUE100に対するデータ送信を可能とする。
【００４０】
レベル2（Limited mobility）は、UE100が特定のTA（Fixed TA）内での移動に留まる場合に適用される。レベル2の場合、UE100は、TAU（TA Update）を定期的に送信する必要がない。
【００４１】
レベル3（Full mobility）は、UE100が複数のTAを跨がって移動する場合に適用される。レベル3の場合、UE100は、TAU（TA Update）をコアネットワーク（CP機能30）に対して送信する。
【００４２】
モビリティレベル選択部330は、このように、時間の経過に応じて変化し得るUE100の移動状態に応じて、その時点における適切なモビリティレベルを選択することができる。つまり、モビリティレベル選択部330は、UE100に対して設定されるモビリティレベルを動的に変更することができる。
【００４３】
モビリティレベル選択部330は、移動状態取得部320によって取得されたUE100の移動の有無と、移動のタイミングとに基づいて、モビリティレベルを選択することができる。例えば、モビリティレベル選択部330は、当該移動の有無とタイミングとに基づいて算出されるUE100の移動頻度（例えば、移動１回／時間）と対応するモビリティレベル（レベル1〜3の何れか）を選択する。
【００４４】
また、モビリティレベル選択部330は、UE100が特定のTA（所定の単位エリア）から他のTA（他の単位エリア）に移動したことに基づいて、モビリティレベルを選択することができる。具体的には、モビリティレベル選択部330は、UE100が異なるTAに移動した場合、例えば、図１に示すトラッキングエリアA1からトラッキングエリアA2に移動した場合、UE100のモビリティレベルとして、レベル3（Full mobility）を選択する。
【００４５】
さらに、モビリティレベル選択部330は、UE100の移動状態及び情報取得部310によって取得されたユーザ情報に基づいて、モビリティレベルを選択することもできる。例えば、モビリティレベル選択部330は、UE100の移動状態に加え、UE100の種別（eMBB(enhanced mobile broadband), MTC(Machine Type Communication)など）に基づいて、モビリティレベルを選択することができる。具体的には、モビリティレベル選択部330は、UE100の種別がMTCであれば、基本的には、移動頻度が低いモビリティレベル（レベル1）をデフォルトで選択し、UE100の移動頻度または移動の程度が高くなった場合のみ、他のモビリティレベル（レベル2など）を選択することができる。
【００４６】
モビリティレベル通知部340は、UE100に設定されるモビリティレベルをUE100に通知する。具体的には、モビリティレベル通知部340は、モビリティレベル選択部330によって選択されたモビリティレベルをUE100に通知するとともに、選択されたモビリティレベルをUE100がサポートしているか否かを問い合わせる。
【００４７】
なお、選択されたモビリティレベルのUE100への通知には、制御チャネルまたは共有データチャネルを用いることができる。
【００４８】
ページング処理部350は、UE100に対するページングに関する処理を実行する。具体的には、ページング処理部350は、CP機能30からのページング要求を受信し、当該ページング要求に基づいて、UE100にページング信号を送信する。
【００４９】
（３）無線通信システムの動作
次に、無線通信システム10の動作について説明する。具体的には、UE100に設定されるモビリティレベルを動的に変更する動作、及びアイドル状態のUE100に対するページング動作について説明する。
【００５０】
（３．１）通信シーケンス
図３及び図４は、UE100に設定されるモビリティレベルの変更に伴う通信シーケンスを示す。具体的には、図３は、IMMをレベル1からレベル3に変更する通信シーケンスを示し、図４は、IMMをレベル3からレベル1に変更する通信シーケンスを示す。
【００５１】
また、図５は、UE100に対するページングに伴う通信シーケンスを示す。
【００５２】
本実施形態では、以下のようなユースケースを想定する。すなわち、温度センサと接続されたUE100が当初、屋内の壁面に設置され、UE100に対して低いモビリティレベル（レベル1）が設定される。その後、UE100を他の用途で使用するため、UE100が高速で移動する車両内に設置され、UE100に対して高いモビリティレベル（レベル3）が設定される。さらに、UE100が設置された車両が一定時間に亘って停止し、UE100に対して再び低いモビリティレベル（レベル1）が設定される。
【００５３】
（３．１．１）モビリティレベルの変更（レベル1からレベル3）
図３に示すように、UE100は、屋内の壁面に設置され、UE100に対して低いモビリティレベル（レベル1）が設定される（S10）。また、UE100は、モビリティレベルが設定された後、データレポジトリ55に対してデータ（例えば、設定されたIMMのレベルなど）を送信する。
【００５４】
なお、レベル1の選択は、UE100が温度センサと接続されたIoT（MTC）向けのユーザ装置、つまり、ユーザ装置の種別に基づいてもよいし、所定時間に亘ってUE100の移動状態を監視した結果に基づいてもよい。
【００５５】
その後、UE100は、高速で移動する車両内に設置される。UE100は、所定タイミングで休止状態から復旧（Wake up）し、移動していることを検出する（S15）。
【００５６】
UE100は、トラッキングエリア（TA）を跨ぐような移動をしたこと（Location change across TA）を、無線アクセスネットワーク20を介してME300に通知する（S20, S30）。Location change across TAには、移動したこと、及びTAを構成するセルの識別子（セルID）が含まれてもよい。
【００５７】
ME300は、UE100の移動状態が変化したことに伴い、UE100のモビリティレベルとして、レベル3を選択する。ME300は、レベル3をUE100に対して通知し、選択されたレベルをサポートしているか否かを問い合わせる（S40）。UE100は、IMMのレベル3をサポートしていることを示す肯定応答（ACK）を返送する（S50）。
【００５８】
ME300は、UE100に設定されるIMMのレベルがレベル3に変更になったこと、及びUE100の位置が移動したことをデータレポジトリ55に報告する（S60）。
【００５９】
データレポジトリ55は、ME300から報告された当該情報を保存する。このような情報は、UE100がTAを跨ぐような移動頻度を把握するために有用である。
【００６０】
この結果、UE100には高いモビリティレベル（レベル3）が設定され、UE100は、コアネットワーク（ME300）によってトラッキングされる（S70）。
【００６１】
（３．１．２）モビリティレベルの変更（レベル3からレベル1）
図４に示すように、UE100には引き続き高いモビリティレベル（レベル3）が設定され、UE100は、データレポジトリ55に対してデータ（設定されたIMMのレベルなど）を送信する（S110）。
【００６２】
その後、UE100が設置された車両が一定時間に亘って停止し、ME300は、UE100が一定時間以上、移動していないことを検出する（S120）。なお、ME300は、UE100の位置を示す情報を定期的に取得することによって、UE100が一定時間以上、移動していないことを検出することができる。なお、UE100の位置を示す情報は、セルIDでもよいし、より具体的な経度及び緯度を示すような位置情報、或いはGPS（Global Positioning system）の情報でも構わない。
【００６３】
ME300は、UE100の移動状態が変化したことに伴い、UE100のモビリティレベルとして、レベル1を選択する。ME300は、レベル1をUE100に対して通知し、選択されたレベルをサポートしているか否かを問い合わせる（S130）。UE100は、IMMのレベル1をサポートしていることを示す肯定応答（ACK）を返送する（S140）。
【００６４】
ME300は、UE100に設定されるIMMのレベルがレベル1に変更になったことをデータレポジトリ55に報告する（S150）。
【００６５】
この結果、UE100には低いモビリティレベル（レベル1）が設定され、UE100は、コアネットワーク（ME300）によって管理される（S160）。
【００６６】
（３．１．３）ページング
図５に示すように、ここでは、UE100に対してレベル2またはレベル3のモビリティレベルが設定されており、UE100は、データレポジトリ55に対してデータ（設定されたIMMのレベルなど）を送信する。（S210）。なお、上述したように、UE100のモビリティレベルがレベル1の場合には、UE100がアイドル状態の場合、UE100をトラッキングすることができず、UE100に到達できない。
【００６７】
次いで、UE100宛てのデータが発生し、UP機能40は、UE100宛てのデータを存在することを示す着信通知をME300に送信する（S215）。
【００６８】
ME300は、当該着信通知に基づいて、UE100宛てのデータ（着信データ）が発生したことを検出する（S220）。具体的には、当該着信データがUP機能40に到達したことを契機として、CP機能30に通知される。ME300は、このような着信通知に基づいてUE100宛てのデータが発生したことを検出する（S220）。
【００６９】
ME300は、UE100宛てのデータが発生したことに伴い、UE100に対するページング信号を送信する（S230）。UE100は、ページングに対する肯定応答（ACK）を返送する（S240）。
【００７０】
UE100は、ページングに基づいて、データ受信に必要なコネクション（PDN Connection）を設定し、UP機能40を経由したデータの受信（及び送信）を実行する（S250）。
【００７１】
UE100は、当該データの受信（及び送信）が完了して一定時間経過すると、アイドル状態に遷移する（S260）。
【００７２】
（３．２）モビリティレベル選択フロー
図６は、ME300によるモビリティレベルの選択フローを示す。具体的には、図６は、上述した図３のステップS40及び図４のS130におけるモビリティレベルの選択動作フローを示す。
【００７３】
図６に示すように、ME300は、UE100の種別を示す情報（ユーザ情報）及びUE100の移動に関する情報を取得する（S310）。具体的には、ME300は、次のような情報を取得する。
【００７４】
1）  UE種別（eMBB(enhanced mobile broadband), MTC(Machine Type Communication)）
2）  UE100の移動（Location change）の有無、及びタイミング（time stamp）
なお、<subscription based>とは、ネットワークオペレータとの契約に基づくことを意味し、<motion/mobility based>とは、UE100の移動状態に基づくことを意味する。
【００７５】
ME300は、取得した当該情報に基づいて、モビリティレベルの選択に用いるパラメータを決定する（S320）。具体的には、ME300は、上述したような複数の情報を構成するパラメータの中から、モビリティレベルの選択に用いるパラメータを選択する。なお、選択するパラメータの数は、単一でもよいし、複数でもよい。
【００７６】
ME300は、選択した当該パラメータの内容（値）に基づいて、モビリティレベルを選択する（S330）。具体的には、ME300は、IMMとして次の何れかを選択する。
【００７７】
・  No mobility（No IMM）（レベル1）
・  Limited mobility（Limited IMM）（レベル2）
・  Full mobility（Full IMM）（レベル3）
【００７８】
（４）作用・効果
上述した実施形態によれば、以下の作用効果が得られる。具体的には、ME300は、UE100の移動状態に基づいて、複数のモビリティレベル（レベル1〜レベル3）の中から、当該移動状態に応じた適切なモビリティレベルを選択する。
【００７９】
このため、アイドル状態におけるUE100のモビリティレベルが動的に変化する場合でも、適切なモビリティレベルを動的に選択し得る。より具体的には、ME300は、変化し得るUE100の移動状態に応じて、適切なモビリティレベルを適宜選択することができる。また、移動頻度が低いモビリティレベルが適切に選択されることによって、UE100の管理負荷の軽減と、サービス品質の向上とを、より高い次元で両立し得る。
【００８０】
なお、先行技術文献に記載された複数のモビリティレベルの提案では、UE100に対して何れかのモビリティレベルが固定的に設定されるため、UE100の移動状態が動的に変化した場合には、対応できない。
【００８１】
また、本実施形態では、ME300は、UE100の移動（Location change）の有無、及びUE100が移動したタイミング（time stamp）に基づいてモビリティレベルを選択することができる。このため、UE100の移動状態が変化した場合に、迅速かつ確実に適切なモビリティレベルを選択することができる。
【００８２】
さらに、本実施形態では、ME300は、UE100が位置するトラッキングエリア（TA）から他のトラッキングエリアに移動したか否かに基づいてモビリティレベルを選択することができる。このため、UE100がTAを跨ぐような大幅な移動をした場合でも、迅速かつ確実に適切なモビリティレベルを選択することができる。
【００８３】
本実施形態では、ME300は、UE100の移動状態のみでなく、UE100の種別などのユーザ情報に基づいて、モビリティレベルを選択することができる。このため、UE100の特徴（例えば、モビリティレベルが低いMTC向けのユーザ装置）を加味した、より実質的なモビリティレベルの選択に寄与し得る。
【００８４】
（５）その他の実施形態
以上、実施形態に沿って本発明の内容を説明したが、本発明はこれらの記載に限定されるものではなく、種々の変形及び改良が可能であることは、当業者には自明である。
【００８５】
例えば、上述した実施形態の説明に用いたブロック図は、機能ブロック図を示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【００８６】
また、上述したME300は、本発明の無線通信方法の処理を行うコンピュータとして機能してもよい。図７は、ME300のハードウェア構成の一例を示す図である。図７に示すように、ME300は、プロセッサ1001、メモリ1002、ストレージ1003、通信装置1004、入力装置1005、出力装置1006及びバス1007などを含むコンピュータ装置として構成されてもよい。
【００８７】
プロセッサ1001は、例えば、オペレーティングシステムを動作させてコンピュータ全体を制御する。プロセッサ1001は、周辺装置とのインターフェース、制御装置、演算装置、レジスタなどを含む中央処理装置（CPU）で構成されてもよい。
【００８８】
メモリ1002は、コンピュータ読み取り可能な記録媒体であり、例えば、ROM（Read
Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【００８９】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記憶媒体は、例えば、メモリ1002及び／またはストレージ1003を含むデータベース、サーバその他の適切な媒体であってもよい。
【００９０】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【００９１】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【００９２】
また、プロセッサ1001及びメモリ1002などの各装置は、情報を通信するためのバス1007で接続される。バス1007は、単一のバスで構成されてもよいし、装置間で異なるバスで構成されてもよい。
【００９３】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【００９４】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【００９５】
上述した実施形態におけるシーケンス及びフローチャートなどは、矛盾の無い限り、順序を入れ替えてもよい。
【００９６】
また、上述した実施形態において、ME300によって行われるとした特定動作は、他のネットワークノード（装置）によって行われることもある。また、複数の他のネットワークノードの組み合わせによってME300の機能が提供されても構わない。さらに、ページング処理部350の機能は、CP機能30を構成する他の装置に実装されてもよい。
【００９７】
なお、本明細書で説明した用語及び／または本明細書の理解に必要な用語については、同一のまたは類似する意味を有する用語と置き換えてもよい。例えば、チャネル及び／またはシンボルは信号（シグナル）であってもよい。また、信号はメッセージであってもよい。また、「システム」及び「ネットワーク」という用語は、互換的に使用されてもよい。
【００９８】
さらに、上述したパラメータなどは、絶対値で表されてもよいし、所定の値からの相対値で表されてもよいし、対応する別の情報で表されてもよい。例えば、無線リソースはインデックスで指示されるものであってもよい。
【００９９】
BS200（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１００】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【０１０１】
UE100は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０３】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１０４】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１０５】
なお、日本国特許出願第2016-097251号（2016年5月13日出願）の全内容が、参照により、本願明細書に組み込まれている。
【産業上の利用可能性】
【０１０６】
上述したモビリティレベル制御装置及びモビリティレベル制御方法によれば、アイドル状態におけるユーザ装置のモビリティレベルが動的に変化する場合でも、適切なモビリティレベルを選択し得る。
【符号の説明】
【０１０７】
10  無線通信システム
20  無線アクセスネットワーク
30  CP機能
40  UP機能
50  外部ネットワーク
55  データレポジトリ
100  UE
200  BS
300  ME
310  情報取得部
320  移動状態取得部
330  モビリティレベル選択部
340  モビリティレベル通知部
350  ページング処理部
1001  プロセッサ
1002  メモリ
1003  ストレージ
1004  通信装置
1005  入力装置
1006  出力装置
1007  バス
A1, A2  トラッキングエリア
【図１】
2017195860.tif 000004
【図２】
2017195860.tif 000005
【図３】
2017195860.tif 000006
【図４】
2017195860.tif 000007
【図５】
2017195860.tif 000008
【図６】
2017195860.tif 000009
【図７】
2017195860.tif 000010
【国際調査報告】
2017195860.tif 000011
2017195860.tif 000012
2017195860.tif 000013